(57)【要約】【課題】主電機機器の電源の状態を検出するための特別な回路を備えることなく、関連電機機器の電源の切り忘れを防止する。【解決手段】設定時間情報を記憶する設定時間記憶手段１６ａと、ビデオデッキ１０の起動後に、リモートコントローラから送信されたテレビジョン１０１の電源を投入、又は切断するための電源オンオフ信号を受信した場合、ビデオデッキ１０が停止中であるか否かを判定する動作判定手段１１ａと、ビデオデッキ１０が停止中であると判定された場合、設定時間情報を読み出し、電源オンオフ信号を受信したときからの経過時間が読み出した設定時間情報が示す時間を超えるまでの間に、ビデオデッキ１０への操作が行われたか否かを判定する経過時間判定手段１１ｂと、ビデオデッキ１０への操作が行われなかったと判定された場合、ビデオデッキ１０の電源を切断する電源切断手段１１ｃとを備える。【選択図】    図１
2009099157.tif 000002
【特許請求の範囲】
【請求項１】
主電機機器用のリモートコントローラから送信された操作信号に基づいて動作する前記主電機機器と接続された関連電機機器の内部に設けられ、前記操作信号に基づいて前記関連電機機器の電源を切断する電源切り忘れ防止装置であって、
前記関連電機機器の電源を切断するか否かを判定するために用いる設定時間情報を記憶する設定時間記憶手段と、
前記関連電機機器の起動後に、前記リモートコントローラから送信された前記主電機機器の電源を投入、又は切断するための電源オンオフ信号を受信した場合、前記関連電機機器が停止中であるか否かを判定する動作判定手段と、
前記動作判定手段により停止中であると判定された場合、前記設定時間記憶手段より前記設定時間情報を読み出し、前記電源オンオフ信号を受信したときからの経過時間が、前記読み出した設定時間情報が示す時間を超えるまでの間に、前記関連電機機器への操作が行われたか否かを判定する経過時間判定手段と、
前記経過時間判定手段により、前記関連電機機器への操作が行われなかったと判定された場合、前記関連電機機器の電源を切断する電源切断手段と、
を備えたことを特徴とする電源切り忘れ防止装置。
【請求項２】
前記主電機機器を製造した製造メーカを一意に識別する製造メーカコードとメーカ設定値とを関連づけて、記憶するメーカ設定記憶手段と、
前記製造メーカの設定を要求する要求信号と共に、前記製造メーカコードが外部より供給された場合、この供給された製造メーカコードに対応する前記メーカ設定値を前記メーカ設定記憶手段から読み出し、この読み出したメーカ設定値に基づいて、前記リモートコントローラからの操作信号を受信するように前記関連電機機器を設定するメーカ設定変更手段と、
を更に備えることを特徴とする請求項１記載の電源切り忘れ防止装置。
【請求項３】
前記関連電機機器の電源を切断するか否かを示す自動設定情報を記憶する自動設定記憶手段と、
前記自動設定情報の変更を要求する要求信号と共に、新たな自動設定情報が外部より供給された場合、この供給された新たな自動設定情報で前記自動設定記憶手段に記憶されている自動設定情報を上書きする自動設定変更手段とを、更に備え、
前記電源切断手段は、
前記経過時間判定手段により、前記関連電機機器への操作信号が供給されなかったと判定された場合、前記自動設定記憶手段に記憶された前記自動設定情報を読み出し、この読み出した自動設定情報が前記関連電機機器の電源を切断することを示す場合には前記関連電機機器の電源を切断する
ことを特徴とする請求項１又は２記載の電源切り忘れ防止装置。
【請求項４】
前記設定時間情報の変更を要求する要求信号と共に、新たな設定時間情報が外部より供給された場合、この供給された新たな設定時間情報で前記設定時間記憶手段に記憶されている設定時間を上書する設定時間変更手段と、
を更に備えることを特徴とする請求項１〜３のいずれか１項記載の電源切り忘れ防止装置。
【発明の詳細な説明】
【技術分野】
【０００１】
本発明は、リモートコントローラから送信された操作信号に基づいて動作する主電機機器と接続された関連電機機器内に設けられ、リモートコントローラから送信された操作信号に基づいて関連電機機器の電源を切断する電源切り忘れ防止装置に関する。
【背景技術】
【０００２】
近年、ＶＴＲ（Video Tape Recorder）やＤＶＤ（Digital Versatile Disc）レコーダ等のビデオデッキには、専用のリモートコントローラ（以下、リモコンという）が付属されたものが主流となっている。また、液晶テレビやプラズマテレビ等のテレビジョンや、ＡＶ（Audio Visual）アンプやオーディオプレーヤ等の音響機器等にも同様に、それぞれ専用のリモコンが付属されていることが多い。
【０００３】
このようなリモコンが付属されたビデオデッキ、テレビジョン、及び音響機器等の電機機器は、リモコンから、利用者の操作によるコンテンツの再生／停止や、電源の投入／切断等を要求する操作信号を受信し、この受信した操作信号に基づいて動作する。
【０００４】
図６は、従来のビデオデッキとテレビジョンの接続関係を示した図である。
【０００５】
図６に示すように、テレビジョン３０１には、このテレビジョン３０１専用のリモコン３０３が付属されており、リモコン３０３から送信された操作信号に基づいてテレビジョン３０１が動作する。また、ビデオデッキ３０２には、このビデオデッキ３０２専用のリモコン３０４が付属されており、リモコン３０４から送信された操作信号に基づいてビデオデッキ３０２が動作する。
【０００６】
このようなビデオデッキ３０２とテレビジョン３０１の利用者は、ビデオデッキ３０２で再生された映像をテレビジョン３０１で視聴し、視聴し終わった後、利用者はリモコン３０３を操作してテレビジョン３０１の電源を切断させる。このとき、ビデオデッキ３０２は稼働中であるにもかかわらず、利用者は、ビデオデッキ３０２の電源を切断する操作をすることを失念する場合があった。
【０００７】
そこで、特許文献１には、ビデオデッキの電源をテレビジョンのＡＣアウトレットから供給し、テレビジョンの電源を切断するとビデオデッキの電源も同時に切断する電源供給装置が提案されている。
【０００８】
また、特許文献２には、テレビジョンの消費電力を検出する回路を搭載したビデオデッキがテレビジョンによる電源の切断を検出すると、ビデオデッキに警告音を発生させて電源の切断を促す電源切り忘れ警告発生方法が提案されている。
【０００９】
さらに、特許文献３には、テレビジョンの電源をビデオデッキのＡＣアウトレットから供給し、このＡＣアウトレットの二次側に備えられたテレビジョンの消費電力を検出する回路により、自装置の電源を自動的に切断する録画再生装置や、テレビジョンから入力されるビデオ信号を監視し、ビデオ信号が入力されなくなったらテレビジョンの電源が切断されたと判定して自装置の電源を自動的に切断する録画再生装置が提案されている。
【特許文献１】実公平１−１３４７８号公報
【特許文献２】特開平１１−１９１２４９号公報
【特許文献３】特開平７−３０７０８５号公報
【発明の開示】
【発明が解決しようとする課題】
【００１０】
しかしながら、特許文献１に記載の電源供給装置や、特許文献２に記載の電源切り忘れ警告発生方法では、テレビジョン又はビデオデッキにＡＣアウトレットを新たに備えた上で、テレビジョンの消費電力を検出する回路が必要であった。
【００１１】
また、特許文献３に記載の録画再生装置では、テレビジョン側にビデオ信号を出力するための出力端子を新たに備える必要があった。この出力端子がない場合は、テレビジョンの電源が切断されたことを検出できないので、特許文献３による効果が得られなかった。
【００１２】
そのため、特許文献１〜特許文献３のいずれの装置又は方法においても、新たな回路等を備える必要があり、そのため製造コストが高くなるという問題があった。
【００１３】
本発明は、上記問題に鑑みてなされたものであり、主電気機器の電源の状態を検出するための特別な回路を備えることなく、関連電気機器の電源の切り忘れを防止することができる電源切り忘れ防止装置を提供することを目的とする。
【課題を解決するための手段】
【００１４】
上記目的を解決するため、本発明に係る電源切り忘れ防止装置の第１の特徴は、主電機機器用のリモートコントローラから送信された操作信号に基づいて動作する主電機機器と接続された関連電機機器の内部に設けられ、操作信号に基づいて関連電機機器の電源を切断する電源切り忘れ防止装置であって、関連電機機器の電源を切断するか否かを判定するために用いる設定時間情報を記憶する設定時間記憶手段と、関連電機機器の起動後に、リモートコントローラから送信された主電機機器の電源を投入、又は切断するための電源オンオフ信号を受信した場合、関連電機機器が停止中であるか否かを判定する動作判定手段と、動作判定手段により停止中であると判定された場合、設定時間記憶手段より設定時間情報を読み出し、電源オンオフ信号を受信したときからの経過時間が、読み出した設定時間情報が示す時間を超えるまでの間に、関連電機機器への操作が行われたか否かを判定する経過時間判定手段と、経過時間判定手段により、関連電機機器への操作が行われなかったと判定された場合、関連電機機器の電源を切断する電源切断手段とを備えたことにある。
【００１５】
上記目的を解決するため、本発明に係る電源切り忘れ防止装置の第２の特徴は、主電機機器を製造した製造メーカを一意に識別する製造メーカコードとメーカ設定値とを関連づけて、記憶するメーカ設定記憶手段と、製造メーカの設定を要求する要求信号と共に、製造メーカコードが外部より供給された場合、この供給された製造メーカコードに対応するメーカ設定値をメーカ設定記憶手段から読み出し、この読み出したメーカ設定値に基づいて、リモートコントローラからの操作信号を受信するように関連電機機器を設定するメーカ設定変更手段とを更に備えることにある。
【００１６】
上記目的を解決するため、本発明に係る電源切り忘れ防止装置の第３の特徴は、関連電機機器の電源を切断するか否かを示す自動設定情報を記憶する自動設定記憶手段と、自動設定情報の変更を要求する要求信号と共に、新たな自動設定情報が外部より供給された場合、この供給された新たな自動設定情報で自動設定記憶手段に記憶されている自動設定情報を上書きする自動設定変更手段とを、更に備え、電源切断手段が、経過時間判定手段により、関連電機機器への操作信号が供給されなかったと判定された場合、自動設定記憶手段に記憶された自動設定情報を読み出し、この読み出した自動設定情報が関連電機機器の電源を切断することを示す場合には関連電機機器の電源を切断することにある。
【００１７】
上記目的を解決するため、本発明に係る電源切り忘れ防止装置の第４の特徴は、設定時間情報の変更を要求する要求信号と共に、新たな設定時間情報が外部より供給された場合、この供給された新たな設定時間情報で設定時間記憶手段に記憶されている設定時間を上書する設定時間変更手段とを更に備えることにある。
【発明の効果】
【００１８】
本発明に係る電源切り忘れ防止装置によれば、主電気機器の電源の状態を検出するための特別な回路を備えることなく、関連電気機器の電源の切り忘れを防止することができる。
【発明を実施するための最良の形態】
【００１９】
以下、本発明を実施するための最良の形態について図面を参照して説明する。
【実施例１】
【００２０】
本発明の実施例１の電源切り忘れ防止装置が適用された関連電機機器としてビデオデッキを例に挙げて説明する。
【００２１】
図１は、本発明の実施例１の電源切り忘れ防止装置が適用されたビデオデッキの構成を示した構成図である。
【００２２】
図１に示すように、ビデオデッキ１０は、電源切り忘れ防止装置１と、入力インタフェース部３と、ビデオ回路４と、ＯＳＤ（On Screen Display）回路５と、出力インタフェース部６とを備えている。
【００２３】
入力インタフェース部３は、ビデオデッキ１０の操作パネル（図示せず）より操作信号が供給されるか、又は、後述するリモコンコード受光部１３を介して操作信号が供給されると、この供給された操作信号をビデオ回路４へ供給する。また、入力インタフェース部３は、映像入力データが外部より供給されると、この映像入力データをビデオ回路４へ供給する。
【００２４】
ビデオ回路４は、入力インタフェース部３より供給された操作信号に基づいて、映像入力データをビデオテープやＤＶＤ等の記録媒体（図示せず）に記録する。また、ビデオ回路４は、入力インタフェース部３より供給された操作信号に基づいて、記録媒体に記録されたビデオ信号を読み出し、出力インタフェース部６に供給する。
【００２５】
ＯＳＤ回路５は、ビデオ回路から供給されたビデオ信号にＯＳＤ（On Screen Display）信号を重畳させて、出力インタフェース部６に供給する。
【００２６】
出力インタフェース部６は、供給されたＯＳＤ信号が重畳されたビデオ信号を映像出力データとして、例えばテレビジョンへ出力する。
【００２７】
電源切り忘れ防止装置１は、ＣＰＵ１１と、リモコンコード受光部１３と、電源制御部１４と、記憶部１６とを備えており、それぞれは、バス２１を介して接続されている。また、ＣＰＵ１１には、内部カウンタ発生部１２が接続され、電源制御部１４には、電源回路部１５が接続されている。
【００２８】
内部カウンタ発生部１２は、ＣＰＵ１１からの指示に従い、時間の情報である所定の基準クロックパルスをカウントし、このカウントしたカウント値をＣＰＵ１１へ供給する。
【００２９】
リモコンコード受光部１３は、リモコンから送信された操作信号を受信し、受信した操作信号をＣＰＵ１１及び入力インタフェース部３へ供給する。
【００３０】
電源制御部１４は、ＣＰＵ１１からの指示に従い、電源回路部１５を制御する。
【００３１】
電源回路部１５は、電源制御部１４により制御され、ビデオデッキ１０への電源の投入、又は電源の切断を行う。
【００３２】
記憶部１６は、メモリやハードディスクで構成されており、設定時間を記憶する設定時間記憶手段１６ａを備える。ここで、この設定時間は、長すぎると、ビデオデッキ１０の電源を切断するまでの時間が長くなるので、無駄にビデオデッキ１０の電力を消費することとなる。また、短すぎると、ビデオデッキ１０の電源を切断するまでの時間が短くなるので、例えば、利用者がビデオデッキ１０を後ほど利用するために待機状態で保持したいと考えている場合にも、ビデオデッキ１０の電源を切断してしまう場合がある。そのため、例えば１８０（秒）といったように、提供者や利用者等が予め適正な値を設定しておく必要がある。
【００３３】
ＣＰＵ１１は、電源切り忘れ防止装置１及びビデオデッキ１０の中枢的な制御を行うと共に、動作判定手段１１ａと、経過時間判定手段１１ｂと、電源切断手段１１ｃとを備える。
【００３４】
ＣＰＵ１１の動作判定手段１１ａは、ビデオデッキ１０の起動後に、後述する主電機機器であるテレビジョン専用のリモートコントローラから送信されたテレビジョンの電源を投入、又は切断するための電源オンオフ信号が供給された場合、ビデオデッキ１０が停止中であるか否かを判定する。
【００３５】
ＣＰＵ１１の経過時間判定手段１１ｂは、動作判定手段１１ａにより停止中であると判定された場合、設定時間記憶手段１６ａより設定時間を読み出すと共に、内部カウンタ発生部１２を用いて時間をカウントし、電源オンオフ信号が供給されたときからの経過時間が読み出した設定時間を超えるまでの間に、ビデオデッキ１０への操作信号が外部より供給されたか否かを判定する。
【００３６】
ＣＰＵ１１の電源切断手段１１ｃは、経過時間判定手段１１ｂにより、ビデオデッキ１０への操作信号が供給されなかったと判定された場合、ビデオデッキ１０の電源を切断する。
【００３７】
図２は、本発明の実施例１の電源切り忘れ防止装置１が適用された関連電機機器であるビデオデッキ１０と、主電機機器であるテレビジョン１０１との接続状態を示した図である。
【００３８】
図２に示すように、テレビジョン１０１には、このテレビジョン１０１専用のリモコン１０３が付属されている。
【００３９】
このリモコン１０３は、各種ボタンを備え、利用者によってこの各種ボタンが押下されることにより、リモコン１０３は操作信号を送信する。そして、テレビジョン１０１は、リモコンコード受光部１０２がリモコン１０３から送信された操作信号を受光することにより操作信号を受信し、受信した操作信号に基づいて動作する。
【００４０】
また、このリモコン１０３は、テレビジョン１０１の電源の投入、又は切断を要求するためのボタンとして、トグルボタンを備えている。利用者によって、このトグルボタンが押下されることにより、リモコン１０３は操作信号として電源オンオフ信号を送信する。そして、テレビジョン１０１は、リモコンコード受光部１０２がリモコン１０３からの電源オンオフ信号を受光することにより、電源オンオフ信号を受信し、受信した電源オンオフ信号に基づいて動作する。具体的には、テレビジョン１０１が電源オン（投入）の状態で、電源オンオフ信号を受信した場合、テレビジョン１０１は電源を切断し、テレビジョン１０１が電源オフ（切断）の状態で、電源オンオフ信号を受信した場合、テレビジョン１０１は電源を投入する。
【００４１】
なお、ここで、「電源」と称しているのは、「主電源」のことであり、リモコンからの電源オンオフ信号を受信して、この「主電源」の切断、又は投入を制御する回路の電源は「スタンバイ電源」として常に投入されているものとする。
【００４２】
また、本発明の実施例１の電源切り忘れ防止装置１が適用されたビデオデッキ１０には、このビデオデッキ１０専用のリモコン１０４が付属されている。そして、ビデオデッキ１０は、リモコンコード受光部１３がリモコン１０４からの操作信号を受光することにより、操作信号を受信し、受信した操作信号に基づいて動作する。さらに、実施例１の電源切り忘れ防止装置１が適用されたビデオデッキ１０は、リモコンコード受光部１３がテレビジョン１０１のリモコン１０３から送信される操作信号の１つである電源オンオフ信号を受光することにより、電源オンオフ信号を受信する。そして、ビデオデッキ１０は、受信した電源オンオフ信号に基づいて電源を切断する。
【００４３】
このように、テレビジョン１０１専用のリモコン１０３から送信された操作信号を受信することよって、主電機機器であるテレビジョン１０１の電源の状態を検出するための特別な回路を備えることなく、関連電機機器であるビデオデッキ１０の電源の切り忘れを防止することができる。
【００４４】
≪作用≫
次に、本発明の実施例１の電源切り忘れ防止装置１が適用されたビデオデッキ１０の作用について図面を参照して説明する。
【００４５】
図３は、本発明の実施例１の電源切り忘れ防止装置１が適用されたビデオデッキ１０の処理手順を示したフローチャートである。
【００４６】
まず、電源切り忘れ防止装置１のＣＰＵ１１の動作判定手段１１ａは、ビデオデッキ１０の電源が投入されているか（オンとなっているか）否かを判定する（ステップＳ１０１）。
【００４７】
そして、動作判定手段１１ａは、ビデオデッキ１０の電源がオンであると判定した場合、リモコン１０３からテレビジョン１０１の電源を投入、又は切断を要求する電源オンオフ信号が供給されたか否かを判定する（ステップＳ１０２）、具体的には、リモコン１０３は、電源の投入、又は切断を要求するためのスイッチとして、トグルスイッチを備えており、利用者によってこのトグルスイッチが押下されることにより、リモコン１０３は電源オンオフ信号を送信する。そして、リモコンコード受光部１３が、この電源オンオフ信号を受信し、受信した電源オンオフ信号をＣＰＵ１１の動作判定手段１１ａに供給する。
【００４８】
ステップＳ１０２において、動作判定手段１１ａは、電源オンオフ信号が供給されたと判定した場合、動作判定手段１１ａは、ビデオデッキ１０が、停止中か否か、即ち、再生動作や録画動作を行っていないか否かを判定する（ステップＳ１０３）。
【００４９】
ステップＳ１０３において、動作判定手段１１ａにより停止中であると判定された場合、ＣＰＵ１１の経過時間判定手段１１ｂは、内部カウンタ発生部１２にカウント値（ｎ）をリセットさせる（ｎ＝０）（ステップＳ１０４）。
【００５０】
そして、経過時間判定手段１１ｂは、入力インタフェース部３を介して、ビデオデッキ１０への操作信号が供給されたか否かを判定する（ステップＳ１０５）、ここで、操作信号は、ビデオデッキ１０の操作パネルから入力インタフェース部３を介して供給されるか、又は、リモコン１０４から送信され、リモコンコード受光部１３で受光し、入力インタフェース部３を介して供給される。
【００５１】
ステップＳ１０５において、ビデオデッキ１０へ操作信号が供給されたと判定した場合、経過時間判定手段１１ｂは、処理を終了する。
【００５２】
一方、ステップＳ１０５において、ビデオデッキ１０への操作信号が供給されなかったと判定した場合、経過時間判定手段１１ｂは、内部カウンタ発生部１２にカウント値（ｎ）をカウントアップさせる（ｎ＝ｎ＋１）（ステップＳ１０６）。
【００５３】
そして、経過時間判定手段１１ｂは、電源オンオフ信号が供給されたときからの経過時間、即ちカウント値（ｎ）が、記憶部１６の設定時間記憶手段１６ａから予め読み出していた設定時間を超えたか否かを判定する（ステップＳ１０７）。
【００５４】
このように、経過時間判定手段１１ｂは、ステップＳ１０４〜ステップＳ１０７までの処理を行うことによって、電源オンオフ信号が供給されたときからの経過時間が読み出した設定時間を超えるまでの間に、ビデオデッキ１０への操作信号が供給されたか否かを判定することができる。
【００５５】
次に、経過時間判定手段１１ｂにより経過時間が設定時間を超えたと判定された場合、電源切断手段１１ｃは、ビデオデッキ１０の電源を切断（オフ）する（ステップＳ１０８）。具体的には、電源切断手段１１ｃは、電源切断の要求を示す信号を電源制御部１４に供給し、電源制御部１４は、電源回路部１５に、ビデオデッキ１０の電源を切断させる。
【００５６】
このように、本発明の実施例１の電源切り忘れ防止装置１が適用されたビデオデッキ１０によれば、主電機機器であるテレビジョン１０１への電源オンオフ信号を受信し、受信した後、所定の設定時間内において、関連電機機器であるビデオデッキ１０が操作されることがなければ、ビデオデッキ１０の電源を切断する。従って、テレビジョン１０１の電源の状態を検出するための特別な回路を備えることなく、ビデオデッキ１０の電源の切り忘れを防止することができる。
【００５７】
これにより、例えば、利用者が、就寝前にビデオデッキ１０の再生映像をテレビジョン１０１により視聴し、テレビジョン１０１の電源切断の操作のみを行い、ビデオデッキ１０の電源切断の操作を失念して就寝してしまった場合、本発明の実施例１の電源切り忘れ防止装置１は、所定の設定時間経過後にビデオデッキ１０の電源を切断するので、無駄な電力の消費を低減することができる。
【００５８】
また、利用者が、テレビジョン１０１の電源投入の操作を行った場合、本発明の実施例１の電源切り忘れ防止装置１は、所定の設定時間経過後にビデオデッキ１０の電源を切断する。従って、例えば、利用者がテレビジョン１０１が直接受信する放送波の画像を視聴し、ビデオデッキ１０からの再生画像を視聴しない場合にも、無駄な電力の消費を低減することができる。
【実施例２】
【００５９】
本発明の実施例２の電源切り忘れ防止装置が適用された関連電機機器として音声を出力するプレーヤを例に挙げて説明する。
【００６０】
図４は、本発明の実施例２の電源切り忘れ防止装置が適用されたプレーヤの構成を示した構成図である。
【００６１】
図４に示すように、プレーヤ２０は、電源切り忘れ防止装置２と、入力インタフェース部３と、再生回路７と、出力インタフェース部６とを備えている。
【００６２】
入力インタフェース部３は、プレーヤ２０の操作パネル（図示せず）より操作信号が供給されるか、又は、後述するリモコンコード受光部１３を介して操作信号が供給されると、供給された操作信号を再生回路７へ供給する。
【００６３】
再生回路７は、入力インタフェース部３より供給された操作信号に基づいて、オーディオデータをビデオテープやＤＶＤ等の記録媒体（図示せず）から読み出し、出力インタフェース部６に供給する。
【００６４】
出力インタフェース部６は、供給されたオーディオデータを音声出力データとして、例えばスピーカへ出力する。
【００６５】
電源切り忘れ防止装置２は、ＣＰＵ１１と、リモコンコード受光部１３と、電源制御部１４と、記憶部１６とを備えており、それぞれは、バス２１を介して接続されている。また、ＣＰＵ１１には、内部カウンタ発生部１２が接続され、電源制御部１４には、電源回路部１５が接続されている。
【００６６】
内部カウンタ発生部１２と、リモコンコード受光部１３と、電源制御部１４と、電源回路部１５とは、本発明の実施例１の電源切り忘れ防止装置１が備える内部カウンタ発生部１２と、リモコンコード受光部１３と、電源制御部１４と、電源回路部１５とそれぞれ同一であるので、説明を省略する。
【００６７】
記憶部１６は、メモリやハードディスクで構成されており、機能ブロックとして、設定時間記憶手段１６ａと、メーカ設定記憶手段１６ｂと、自動設定記憶手段１６ｃとを備えている。
【００６８】
設定時間記憶手段１６ａは、プレーヤ２０の電源を切断するか否かを判定するための設定時間を記憶する。
【００６９】
メーカ設定記憶手段１６ｂは、後述する主電機機器であるアンプが製造された製造メーカを一意に識別する製造メーカコードとメーカ設定値とを関連づけて、記憶する。
【００７０】
自動設定記憶手段１６ｃは、プレーヤ２０の電源を切断するか否かを示す自動設定情報を記憶する。
【００７１】
ＣＰＵ１１は、電源切り忘れ防止装置１及びプレーヤ２０の中枢的な制御を行うと共に、動作判定手段１１ａと、経過時間判定手段１１ｂと、電源切断手段１１ｃと、メーカ設定変更手段１１ｄと、自動設定変更手段１１ｅと、設定時間変更手段１１ｆとを備える。
【００７２】
ＣＰＵ１１の動作判定手段１１ａは、プレーヤ２０の起動後に、後述する主電機機器であるアンプ専用のリモートコントローラから送信されたアンプの電源を投入、又は切断するための電源オンオフ信号が供給された場合、プレーヤ２０が停止中であるか否かを判定する。
【００７３】
ＣＰＵ１１の経過時間判定手段１１ｂは、動作判定手段１１ａにより停止中であると判定された場合、設定時間記憶手段１６ａより設定時間を読み出すと共に内部カウンタ発生部１２を用いて時間をカウントし、電源オンオフ信号が供給されたときからの経過時間が読み出した設定時間を超えるまでの間に、プレーヤ２０への操作信号が外部より供給されたか否かを判定する。
【００７４】
ＣＰＵ１１の電源切断手段１１ｃは、経過時間判定手段１１ｂにより、プレーヤ２０への操作信号が供給されなかったと判定された場合、自動設定記憶手段１６ｃに記憶された自動設定情報を読み出し、この読み出した自動設定情報がプレーヤ２０の電源を切断することを示す場合にはプレーヤ２０の電源を切断する。
【００７５】
ＣＰＵ１１のメーカ設定変更手段１１ｄは、製造メーカの設定を要求する要求信号と共に、製造メーカコードが外部より供給された場合、この供給された製造メーカコードに対応するメーカ設定値をメーカ設定記憶手段１６ｂから読み出し、この読み出したメーカ設定値に基づいて、アンプ専用のリモートコントローラからの操作信号を受信するようにプレーヤ２０を設定する。
【００７６】
ＣＰＵ１１の自動設定変更手段１１ｅは、自動設定情報の変更を要求する要求信号と共に、自動設定情報が外部より供給された場合、この供給された自動設定情報で自動設定記憶手段１６ｃに記憶させた自動設定情報を上書きさせる。
【００７７】
ＣＰＵ１１の設定時間変更手段１１ｆは、設定時間の変更を要求する要求信号と共に、設定時間が外部より供給された場合、この供給された設定時間で設定時間記憶手段１６ａに記憶させた設定時間を上書きさせる。
【００７８】
図５は、実施例２の電源切り忘れ防止装置２が適用された関連電機機器であるプレーヤ２０と、主電機機器であるアンプ２０１との接続状態を示した図である。
【００７９】
図５に示すように、アンプ２０１には、このアンプ２０１専用のリモコン２０３が付属されている。
【００８０】
このリモコン２０３は、各種ボタンを備え、利用者によってこの各種ボタンが押下されることにより、リモコン２０３は操作信号を送信する。そして、アンプ２０１は、リモコンコード受光部２０２がリモコン２０３からの操作信号を受光することにより、操作信号を受信し、受信した操作信号に基づいて動作する。
【００８１】
また、このリモコン２０３は、アンプ２０１の電源の投入、又は切断を要求するためのボタンとして、トグルボタンを備えている。利用者によって、このトグルボタンが押下されることにより、リモコン２０３は操作信号として電源オンオフ信号を送信する。そして、アンプ２０１は、リモコンコード受光部２０２がリモコン２０３からの電源オンオフ信号を受光することにより、アンプ２０１が電源オンオフ信号を受信し、受信した電源オンオフ信号に基づいて動作する。具体的には、アンプ２０１が電源オン（投入）の状態で、電源オンオフ信号を受信した場合、アンプ２０１は電源を切断し、アンプ２０１が電源オフ（切断）の状態で、電源オンオフ信号を受信した場合には、アンプ２０１は電源を投入する。
【００８２】
なお、ここで、「電源」と称しているのは、「主電源」のことであり、リモコンからの電源オンオフ信号を受信して、この「主電源」の切断、又は投入を制御する回路の電源は「スタンバイ電源」として常に投入されているものとする。
【００８３】
また、本発明の実施例２の電源切り忘れ防止装置２が適用されたプレーヤ２０には、このプレーヤ２０専用のリモコン２０４が付属されている。そして、プレーヤ２０は、リモコンコード受光部１３がリモコン２０４からの操作信号を受光することにより操作信号を受信し、受信した操作信号に基づいて動作する。さらに、実施例２の電源切り忘れ防止装置２が適用されたプレーヤ２０は、アンプ２０１のリモコン２０３から送信された操作信号の１つである電源オンオフ信号をリモコンコード受光部１３が受光することにより、電源オンオフ信号を受信する。そして、プレーヤ２０は、受信した電源オンオフ信号に基づいて電源を切断する。
【００８４】
このように、アンプ２０１専用のリモコン２０３から送信された電源オンオフ信号を受信することよって、主電機機器であるアンプ２０１の電源の状態を検出するための特別な回路を備えることなく、関連電機機器であるプレーヤ２０の電源の切り忘れを防止することができる。
【００８５】
≪作用≫
本発明の実施例２の電源切り忘れ防止装置２では、本発明の実施例１の電源切り忘れ防止装置１と同様に、図３のフローチャートに示した処理を実行する。なお、ここでは、図３に示したフローチャートのビデオデッキをプレーヤと読替え、テレビジョンをアンプと読み替えることとする。また、本発明の実施例２の電源切り忘れ防止装置２は、さらに以下のメーカ設定変更処理、自動設定変更処理、及び設定値変更処理を実行する。なお、これらメーカ設定変更処理、自動設定変更処理、及び設定値変更処理は、図３のフローチャートに示した処理の実行前に実行してもよいし、図３のフローチャートに示した処理の実行中に実行してもよい。
【００８６】
＜メーカ設定変更処理＞
本発明の実施例２の電源切り忘れ防止装置２では、ＣＰＵ１１のメーカ設定変更手段１１ｄは、アンプ２０１の製造メーカの設定を要求する要求信号と共に、製造メーカコードが外部より供給された場合、この供給された製造メーカコードに対応するメーカ設定値をメーカ設定記憶手段１６ｂから読み出し、この読み出したメーカ設定値に基づいて、リモコン２０３からの操作信号を受信するようにプレーヤ２０を設定する。ここで、要求信号及び製造メーカコードは、プレーヤ２０の操作パネル（図示せず）から入力インタフェース部３を介して供給されるか、又は、リモコン２０４から送信され、リモコンコード受光部１３で受光し供給される。
【００８７】
このように、本発明の実施例２の電源切り忘れ防止装置２は、メーカ設定値に基づいて、リモコン２０３からの操作信号を受信するようにプレーヤ２０を設定することにより、プレーヤ２０の製造メーカと、アンプ２０１の製造メーカとが異なる場合においても、アンプ２０１のリモコン２０３からの操作信号を受信できるようになる。これにより電源切り忘れ防止装置２は、所定の設定時間内にプレーヤ２０への操作信号が供給されなかった場合は、プレーヤ２０の電源を切断するので、無駄な電力の消費を低減することができる。
【００８８】
＜自動設定変更処理＞
本発明の実施例２の電源切り忘れ防止装置２では、ＣＰＵ１１の自動設定変更手段１１ｅは、プレーヤ２０の電源を切断するか否かを示す自動設定情報の変更を要求する要求信号と共に、自動設定情報が外部より供給された場合、この供給された自動設定情報で自動設定記憶手段１６ｃに記憶させた自動設定情報を上書きさせる。ここで、要求信号及び自動設定情報は、プレーヤ２０の操作パネル（図示せず）から入力インタフェース部３を介して供給されるか、又は、リモコン２０４から送信され、リモコンコード受光部１３で受光し供給される。
【００８９】
そして、ＣＰＵ１１の電源切断手段１１ｃは、経過時間判定手段１１ｂにより、所定の設定時間内に、操作信号が供給されなかったと判定された場合、自動設定記憶手段１６ｃに記憶された自動設定情報を読み出し、この読み出した自動設定情報が関連電機機器１０の電源を切断することを示している場合には関連電機機器１０の電源を切断する。
【００９０】
このように、本発明の実施例２の電源切り忘れ防止装置２は、自動設定情報の変更を行うことによって、所定の設定時間内に操作信号が供給されなかった場合に、プレーヤ２０の電源を切断するか否かを設定することができる。
【００９１】
これにより、利用者は、例えば、就寝前等プレーヤ２０の電源を切り忘れる可能性が高いと思う場合に、プレーヤ２０の電源を切断するように設定しておくことによって、プレーヤ２０の無駄な電力の消費を低減することができる。
【００９２】
＜設定値変更処理＞
本発明の実施例２の電源切り忘れ防止装置２では、設定時間変更手段１１ｆは、設定時間の変更を要求する要求信号と共に、設定時間が外部より供給された場合、この供給された設定時間で設定時間記憶手段１６ａに記憶させた設定時間を上書きさせる。ここで、要求信号及び自動設定情報は、プレーヤ２０の操作パネル（図示せず）から入力インタフェース部３を介して供給されるか、又は、リモコン２０４から送信され、リモコンコード受光部１３で受光し供給される。
【００９３】
このように、本発明の実施例２の電源切り忘れ防止装置２は、設定時間を変更することができるので、利用者は、自身の操作特性、即ちプレーヤ２０を頻繁に操作する利用者なのか、又はあまりプレーヤ２０を操作することのない利用者なのかを考慮した上で、自身にとって最適な設定時間を設定することができる。
【図面の簡単な説明】
【００９４】
【図１】本発明の実施例１の電源切り忘れ防止装置が適用されたビデオデッキの構成を示した構成図である。
【図２】本発明の実施例１の電源切り忘れ防止装置１が適用されたビデオデッキ１０と、主電機機器であるテレビジョン１０１との接続状態を示した図である。
【図３】本発明の実施例１の電源切り忘れ防止装置１が適用されたビデオデッキ１０の処理手順を示したフローチャートである。
【図４】本発明の実施例２の電源切り忘れ防止装置が適用されたプレーヤの構成を示した構成図である。
【図５】本発明の実施例２の電源切り忘れ防止装置２が適用されたプレーヤ２０と、主電機機器であるアンプ２０１との接続状態を示した図である。
【図６】従来のビデオデッキとテレビジョンとの接続状態を示した図である。
【符号の説明】
【００９５】
１，２…電源切り忘れ防止装置
３…入力インタフェース部
４…ビデオ回路
５…ＯＳＤ回路
６…出力インタフェース部
７…再生回路
１０…ビデオデッキ（関連電機機器）
１１…ＣＰＵ
１１ａ…動作判定手段
１１ｂ…経過時間判定手段
１１ｃ…電源切断手段
１１ｄ…メーカ設定変更手段
１１ｅ…自動設定変更手段
１１ｆ…設定時間変更手段
１２…内部カウンタ発生部
１３…リモコンコード受光部
１４…電源制御部
１５…電源回路部
１６…記憶部
１６ａ…設定時間記憶手段
１６ｂ…メーカ設定記憶手段
１６ｃ…自動設定記憶手段
２０…プレーヤ（関連電機機器）
１０１…テレビジョン（主電機機器）
１０３，１０４…リモコン
２０１…アンプ（主電機機器）
２０３，２０４…リモコン
【図１】
2009099157.tif 000003
【図２】
2009099157.tif 000004
【図３】
2009099157.tif 000005
【図４】
2009099157.tif 000006
【図５】
2009099157.tif 000007
【図６】
2009099157.tif 000008